(57)【要約】【課題】セルが微細化した構成においても誤放電の生じない高輝度パネルを提供することを目的とする。【解決手段】一対の走査電極３２および維持電極４２とにより構成される表示電極対を互いに平行に複数形成した前面基板２と、データ電極１１を前記表示電極対と交差する方向に複数形成した背面基板３とを対向配置し、前記表示電極対を構成する走査電極３２および維持電極４２は、走査電極３２どうし、維持電極４２どうしが隣り合うように配列され、表示電極対とデータ電極１１とが交差する部分には放電セルが形成され、上下方向に隣接する放電セル５４の、隣り合う維持電極４２どうしの間には、維持電極４２と同電位となる放電拡張部５３を備えることを特徴とするプラズマディスプレイパネルである。【選択図】図４
2010073527.tif 000002
【特許請求の範囲】
【請求項１】
一対の走査電極および維持電極とにより構成される表示電極対を互いに平行に複数形成した前面基板と、データ電極を前記表示電極対と交差する方向に複数形成した背面基板とを対向配置し、前記表示電極対を構成する走査電極および維持電極は、走査電極どうし、維持電極どうしが隣り合うように配列され、表示電極対とデータ電極とが交差する部分には放電セルが形成され、上下方向に隣接する放電セルの、隣り合う維持電極どうしの間には、維持電極と同電位となる放電拡張部を備えることを特徴とするプラズマディスプレイパネル。
【発明の詳細な説明】
【技術分野】
【０００１】
本発明は、プラズマディスプレイパネルに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板上には、誘電体層および保護層で覆われた走査電極と維持電極とからなる表示電極が平行して複数対配列されている。背面基板上には、表示電極に直交する方向に、誘電体層に覆われたデータ電極が複数互いに平行して配列されている。この誘電体層上の、データ電極の間の箇所には、放電空間を形成するための隔壁が設けられている。また誘電体層上から隔壁の側面にわたって蛍光体層が形成されている。放電セルには、放電によって紫外線を放射するガスとして、例えばキセノンなどが封入されている。そして放電セル内での放電により発生する紫外線によって蛍光体層が励起され、可視光を発生し映像を表示する。
【０００３】
パネルを駆動するには、１フィールド期間を複数のサブフィールドに分割する方法を用いる。各サブフィールドは、それぞれ初期化期間と書き込み期間と維持期間とから構成されている。初期化期間では、放電セルの初期化放電を行い、引き続いて行われる書き込み期間に必要な壁電荷を形成する。書き込み期間では、走査電極とデータ電極に書き込みパルスを印加して、放電させるべき放電セルに選択的に壁電荷を形成する。続いて維持期間では、走査電極と維持電極との間に維持パルスを印加して、放電セルを放電させ発光させる（特許文献１参照）。
【特許文献１】特開２００３−１３１５８０号公報
【発明の開示】
【発明が解決しようとする課題】
【０００４】
ところで、放電させるべきセルが確実に選択できるようにするためには、前面基板の上下表示セル間で無電極部を形成する必要がある。この領域を過度に小さく（狭く）してしまうと、放電させるべきセル以外が発光（この現象を以下「誤放電」と称する）するという不具合が生じてしまう。
【０００５】
しかしながら、上記従来構成のパネルでは、セルが微細化していくとセル面積あたりの、無電極部の占める割合が大きくなり放電面積の占める割合が減少するため発光輝度の低下が大きくなってしまうという課題を有していた。
【０００６】
本発明はこのような現状に鑑みなされたものであり、セルが微細化した構成においても誤放電の生じない高輝度パネルを提供することを目的とする。
【課題を解決するための手段】
【０００７】
上記目的を実現するために本発明のパネルは、一対の走査電極および維持電極とにより構成される表示電極対を互いに平行に複数形成した前面基板と、データ電極を前記表示電極対と交差する方向に複数形成した背面基板とを対向配置し、前記表示電極対を構成する走査電極および維持電極は、走査電極どうし、維持電極どうしが隣り合うように配列され、表示電極対とデータ電極とが交差する部分には放電セルが形成され、上下方向に隣接する放電セルの、隣り合う維持電極どうしの間には、維持電極と同電位となる放電拡張部を備えることを特徴とするものである。
【発明の効果】
【０００８】
本発明によれば、セルが微細化した構成においても誤放電の生じない高輝度パネルを提供することができる。
【発明を実施するための最良の形態】
【０００９】
以下、図面を用いて本発明の一実施の形態のパネルについて詳細に説明する。
【００１０】
（実施の形態）
図１は、本発明の一実施の形態によるパネルの概略構成を示す断面斜視図である。パネル１は、ガラス製の前面基板２とガラス製の背面基板３とが対向して構成されている。
【００１１】
前面基板２上には、１対の走査電極３２と維持電極４２とからなる表示電極対が互いに平行して複数対配列されている。走査電極３２は、可視光を透過するＩＴＯ（Ｉｎｄｉｕｍ  Ｔｉｎ  Ｏｘｉｄｅ）などによる透明電極３０と、電極の抵抗値を下げるためにＡｇなどを含む導電性の良いバスライン３１とから構成されている。同様に維持電極４２は、透明電極４０とバスライン４１とから構成されている。これら対の走査電極３２と維持電極４２を区分けされるように遮光層としてのブラックストライプ５１、５２が配列されている。また表示電極、ブラックストライプは誘電体層６で覆われている。さらに誘電体層６を覆うように保護層７が形成されている。
【００１２】
背面基板３上には、表示電極に直交する方向に、第２の誘電体層１０に覆われたデータ電極１１が複数互いに平行して配列されている。隔壁８は、放電空間を区画し放電セルを形成するために、データ電極１１の間に設けられている。また、第２の誘電体層１０上から隔壁８の側面にわたって蛍光体層９が形成されている。
【００１３】
図２は、本発明の一実施の形態によるパネルにおける電極の概略構成を模式的に示す平面図である。映像などが表示されるパネル１の画面に向かって見た平面図であり、行方向にｎ本の走査電極３２およびｎ本の維持電極４２が配列され、列方向にｍ本のデータ電極１１が配列されている。ここで、走査電極および維持電極はそれぞれ一本づつで一対をなし、また、走査電極、維持電極、維持電極、走査電極、走査電極、・・・と配列されており、一対の走査電極および維持電極は、走査電極どうし、維持電極どうしが隣り合うように構成されている。
【００１４】
そして、１対の走査電極ＳＣｉおよび維持電極ＳＵｉと１つのデータ電極Ｄｊとが交差した部分に放電セル５４が形成され、放電セル５４は放電空間内にｍ×ｎ個形成されている。パネル１の右側には、ｎ本の走査電極ＳＣ１〜ＳＣｎから走査電極端子部１６が引き出されている。この走査電極端子部１６を介して、走査電極３２に駆動電圧が印加される。また走査電極ＳＣ１〜ＳＣｎはパネル１の左端において終端されている。パネル１の左側には、ｎ本の維持電極ＳＵ１〜ＳＵｎは維持電極共通化部１３に接続され維持電極端子部１４が引き出されている。この維持電極端子部１４を介して、維持電極４２に駆動電圧が印加される。この維持電極端子部１４以外に維持電極端子部１４よりも接続を容易にしたエージング専用端子１５を形成している。維持電極ＳＵ１〜ＳＵｎはパネル１の右端において終端されている。パネル１の下部には、ｍ本のデータ電極Ｄ１〜Ｄｍからデータ電極端子部１２が引き出されている。
【００１５】
図３は、本発明の一実施の形態によるパネルにおける放電セルでの電極構成を概略的に示す平面図、図４は放電拡張部近傍の概略構成を示す断面図（誘電体層、保護層は省略）である。放電セルより発光される光に対し上下方向に隣接する放電セルを明確に区分するための遮光層としてのブラックストライプ５１、５２が、上下方向に隣接する放電セルの間の無電極部に設けられている。
【００１６】
そしてこのうち、上下方向に隣接する放電セルの、隣り合う維持電極４２どうしの間の無電極に設けられたブラックストライプ５２上には、ブラックストライプと同等、もしくは細い幅で積層形成することでパネル表示面からは見えないようにした、維持電極と同電位になる放電拡張部５３が形成されている。
【００１７】
この放電拡張部５３を形成することによって、従来の構成から遮光部を増加させることなく、維持電極電位を維持電極４２外に与えることができ、放電が維持電極４２の面積以上に広げることが可能となり、微細セルにおける高輝度化が実現できる。
【００１８】
また、無電極部に形成した放電拡張部５３を挟み維持電圧で放電を拡張させる構成であることから、単純に維持電極４２を広げ無電極部を縮める（狭める）場合に比べ、放電自身を弱いままその面積（放電領域）を拡げることが可能であり、誤放電が生じることもない。
【００１９】
もって、放電セルが微細化しても誤放電の生じない高輝度パネルを提供することが可能となる。
【産業上の利用可能性】
【００２０】
以上のように本発明は、大画面、高精細のプラズマディスプレイ装置を提供する上で有用な発明である。
【図面の簡単な説明】
【００２１】
【図１】本発明の一実施の形態によるパネルの概略構成を示す断面斜視図
【図２】本発明の一実施の形態によるパネルにおける電極の概略構成を模式的に示す平面図
【図３】本発明の一実施の形態によるパネルにおける放電セルでの電極構成を概略的に示す平面図
【図４】本発明の一実施の形態によるパネルにおける放電セルでの放電拡張部近傍の概略構成を示す断面図
【符号の説明】
【００２２】
１  パネル
２  前面基板
３  背面基板
６  誘電体層
７  保護層
８  隔壁
９  蛍光体層
１０  第２の誘電体層
１１  データ電極
１２  データ電極端子部
１３  維持電極共通化部
１４  維持電極端子部
１６  走査電極端子部
３０、４０  透明電極
３１、４１  バスライン
３２  走査電極
４２  維持電極
５１、５２  ブラックストライプ
５３  放電拡張部
５４  放電セル
【図１】
2010073527.tif 000003
【図２】
2010073527.tif 000004
【図３】
2010073527.tif 000005
【図４】
2010073527.tif 000006